(57)【要約】【課題】本来の遊技機ではない別の機種にすり替えられたり、不正なプログラムが書き込まれた不正ＲＯＭへの交換や制御基板毎入れ替えるような不正改造が行われたりすることを的確に監視できる遊技機の個体監視方法を提供する。【解決手段】監視対象の遊技機よりパルス信号の遊技機ＩＤを受信し、受信したパルス信号をシリアル／パラレル変換して有意な遊技機ＩＤに変換して一時記憶領域に記憶し、比較基準ＩＤを比較基準ＩＤ記憶領域より取り出し、一時記憶領域に記憶した一時記憶ＩＤと比較基準ＩＤとを比較し、一時記憶ＩＤと比較基準ＩＤとが一致していれば通常表示を行い、一時記憶ＩＤと比較基準ＩＤとが不一致であれば警告表示を行い、監視対象の遊技機がすり替えられたり不正改造された可能性があることを報らせる。【選択図】図２
2010213770.tif 000002
【特許請求の範囲】
【請求項１】
個体毎に異なる情報である遊技機ＩＤを出力可能な遊技機を監視する遊技機の個体監視方法であって、
監視対象である遊技機から出力される遊技機ＩＤを取得する遊技機ＩＤ取得工程と、
前記遊技機ＩＤ取得工程にて取得した遊技機ＩＤを一時記憶ＩＤとして所定の一時記憶領域に記憶する一時記憶工程と、
前記一時記憶工程にて記憶した一時記憶ＩＤと、監視対象である遊技機を特定する情報として比較基準ＩＤ記憶領域に予め記憶している比較基準ＩＤとを比較し、両者が一致していれば通常報知を行う一方、両者が不一致であれば警告報知を行う監視工程と、
を行い、監視対象の遊技機が同一の個体であるか否かを監視することを特徴とする遊技機の個体監視方法。
【請求項２】
前記監視工程で警告報知を行った後に、所定の更新要求を受けることに基づいて、一時記憶ＩＤを比較基準ＩＤ領域に比較基準ＩＤとして記憶し、監視対象である遊技機の個体情報を更新するようにしたことを特徴とする請求項１に記載の遊技機の個体監視方法。
【請求項３】
遊技場に設置された各遊技機に対応して設けられる遊技機情報表示器によって、前記遊技機ＩＤ取得工程と、前記一時記憶工程と、前記監視工程を行うようにしたことを特徴とする請求項１又は請求項２に記載の遊技機の個体監視方法。
【請求項４】
遊技場に設置された各遊技機に対応して設けられる情報中継器によって、前記遊技機ＩＤ取得工程を行い、
前記情報中継器から遊技機ＩＤが送信される遊技場管理装置によって、前記一時記憶工程と、前記監視工程を行うようにしたことを特徴とする請求項１又は請求項２に記載の遊技機の個体監視方法。
【請求項５】
遊技場に設置された各遊技機に対応して設けられる遊技機情報表示器によって、前記遊技機ＩＤ取得工程と、前記一時記憶工程と、前記監視工程を行うと共に、前記遊技機情報表示器によって取得した遊技機ＩＤを各遊技機に対応して設けられる情報中継器へ送信し、該情報中継器を経由して遊技機ＩＤが送信される遊技場管理装置によっても、前記一時記憶工程と、前記監視工程を行うようにしたことを特徴とする請求項１又は請求項２に記載の遊技機の個体監視方法。
【発明の詳細な説明】
【技術分野】
【０００１】
本発明は、個体毎に異なる情報である遊技機ＩＤを出力可能な遊技機を監視する遊技機の個体監視方法に関する。
【背景技術】
【０００２】
従来、遊技場において、各遊技機の稼動情報を機種別に集計・分析するためには、ホールコンピュータ等の遊技場管理装置に台番号と機種名を関連付ける情報を手入力するという作業が必要で、この入力操作は手間がかかる上に、入力ミス等が起き易かった。このような煩雑で不正確な入力操作を省くため、遊技機の外部端子板から機種ＩＤを出力する遊技機と、この機種ＩＤ情報を中継器を通じて管理コンピュータに直接送信するシステムが提案されている（例えば、特許文献１を参照）。
【０００３】
特許文献１に記載の遊技機情報収集システムにおいては、遊技機から機種名等の遊技機情報を取得する方法として、遊技機名情報をパルス信号で遊技機から出力させ、このパルス信号を中継ＢＯＸで受け付けてネットワーク送信データに変換した後、管理コンピュータ等の外部装置へ送信する方法が記載されている。
【先行技術文献】
【特許文献】
【０００４】
【特許文献１】特開２００３−１９０６０１号公報
【発明の概要】
【発明が解決しようとする課題】
【０００５】
しかしながら、特許文献１に記載された遊技機情報収集システムでは、前回接続されていた遊技機と、今回接続した遊技機の個体が同一か否かまで管理することができない。例えば、本来の遊技機ではない別の機種にすり替えられたり、不正なプログラムが書き込まれた不正ＲＯＭへの交換や制御基板毎入れ替えるような不正改造が行われたりしても、特許文献１に記載の遊技機情報収集システムでは対処できないのである。
【０００６】
そこで、本発明は、上記問題点に鑑み、本来の遊技機ではない別の機種にすり替えられたり、不正なプログラムが書き込まれた不正ＲＯＭへの交換や制御基板毎入れ替えるような不正改造が行われたりすることを的確に監視できる遊技機の個体監視方法の提供を目的とする。
【課題を解決するための手段】
【０００７】
上記の課題を解決するために、請求項１に係る発明は、個体毎に異なる情報である遊技機ＩＤを出力可能な遊技機を監視する遊技機の個体監視方法であって、監視対象である遊技機から出力される遊技機ＩＤを取得する遊技機ＩＤ取得工程と、前記遊技機ＩＤ取得工程にて取得した遊技機ＩＤを一時記憶ＩＤとして所定の一時記憶領域に記憶する一時記憶工程と、前記一時記憶工程にて記憶した一時記憶ＩＤと、監視対象である遊技機を特定する情報として比較基準ＩＤ記憶領域に予め記憶している比較基準ＩＤとを比較し、両者が一致していれば通常報知を行う一方、両者が不一致であれば警告報知を行う監視工程と、を行い、監視対象の遊技機が同一の個体であるか否かを監視することを特徴とする。
【０００８】
また、請求項２に係る発明は、前記請求項１に記載の遊技機の個体監視方法において、前記監視工程で警告報知を行った後に、所定の更新要求を受けることに基づいて、一時記憶ＩＤを比較基準ＩＤ領域に比較基準ＩＤとして記憶し、監視対象である遊技機の個体情報を更新するようにしたことを特徴とする。
【０００９】
また、請求項３に係る発明は、前記請求項１又は請求項２に記載の遊技機の個体監視方法において、遊技場に設置された各遊技機に対応して設けられる遊技機情報表示器によって、前記遊技機ＩＤ取得工程と、前記一時記憶工程と、前記監視工程を行うようにしたことを特徴とする。
【００１０】
また、請求項４に係る発明は、前記請求項１又は請求項２に記載の遊技機の個体監視方法において、遊技場に設置された各遊技機に対応して設けられる情報中継器によって、前記遊技機ＩＤ取得工程を行い、前記情報中継器から遊技機ＩＤが送信される遊技場管理装置によって、前記一時記憶工程と、前記監視工程を行うようにしたことを特徴とする。
【００１１】
また、請求項５に係る発明は、前記請求項１又は請求項２に記載の遊技機の個体監視方法において、遊技場に設置された各遊技機に対応して設けられる遊技機情報表示器によって、前記遊技機ＩＤ取得工程と、前記一時記憶工程と、前記監視工程を行うと共に、前記遊技機情報表示器によって取得した遊技機ＩＤを各遊技機に対応して設けられる情報中継器へ送信し、該情報中継器を経由して遊技機ＩＤが送信される遊技場管理装置によっても、前記一時記憶工程と、前記監視工程を行うようにしたことを特徴とする。
【発明の効果】
【００１２】
請求項１に係る遊技機の個体監視方法によれば、監視対象である遊技機から出力される遊技機ＩＤを取得する遊技機ＩＤ取得工程と、前記遊技機ＩＤ取得工程にて取得した遊技機ＩＤを一時記憶ＩＤとして所定の一時記憶領域に記憶する一時記憶工程と、前記一時記憶工程にて記憶した一時記憶ＩＤと、監視対象である遊技機を特定する情報として比較基準ＩＤ記憶領域に予め記憶している比較基準ＩＤとを比較し、両者が一致していれば通常報知を行う一方、両者が不一致であれば警告報知を行う監視工程と、を行い、監視対象の遊技機が同一の個体であるか否かを監視するので、本来の遊技機ではない別の機種にすり替えられたり、不正なプログラムが書き込まれた不正ＲＯＭへの交換や制御基板毎入れ替えるような不正改造が行われたりして、遊技機ＩＤが変わった状態を的確に監視できる。
【００１３】
また、請求項２に係る遊技機の個体監視方法によれば、前記監視工程で警告報知を行った後に、所定の更新要求を受けることに基づいて、一時記憶ＩＤを比較基準ＩＤ領域に比較基準ＩＤとして記憶し、監視対象である遊技機の個体情報を更新するようにしたので、遊技場の新装開店時や機種入替時に、監視対象の遊技機を入れ替えるときには、個体識別用の遊技機ＩＤを簡便に更新することができ、利便性が高い。
【００１４】
また、請求項３に係る遊技機の個体監視方法によれば、遊技場に設置された各遊技機に対応して設けられる遊技機情報表示器によって、前記遊技機ＩＤ取得工程と、前記一時記憶工程と、前記監視工程を行うようにしたので、遊技機の近くに設けられる遊技機情報表示器によって警告報知を行うことができる。
【００１５】
また、請求項４に係る遊技機の個体監視方法によれば、遊技場に設置された各遊技機に対応して設けられる情報中継器によって、前記遊技機ＩＤ取得工程を行い、前記情報中継器から遊技機ＩＤが送信される遊技場管理装置によって、前記一時記憶工程と、前記監視工程を行うようにしたので、遊技場内の各遊技機を集中管理する遊技場管理装置によって効率良く遊技機を管理できる。
【００１６】
また、請求項５に係る遊技機の個体監視方法によれば、遊技場に設置された各遊技機に対応して設けられる遊技機情報表示器によって、前記遊技機ＩＤ取得工程と、前記一時記憶工程と、前記監視工程を行うと共に、前記遊技機情報表示器によって取得した遊技機ＩＤを各遊技機に対応して設けられる情報中継器へ送信し、該情報中継器を経由して遊技機ＩＤが送信される遊技場管理装置によっても、前記一時記憶工程と、前記監視工程を行うようにしたので、遊技機の近くに設けられる遊技機情報表示器によって警告報知を行うことができると共に、遊技場内の各遊技機を集中管理する遊技場管理装置によって効率良く遊技機を管理できる。
【図面の簡単な説明】
【００１７】
【図１】遊技機ＩＤを出力可能な遊技機の概略構成図である。
【図２】本発明に係る遊技機の個体監視方法の実施形態を示すフローチャートである。
【図３】比較基準ＩＤの更新処理を示すフローチャートである。
【図４】遊技機の個体監視方法を実現可能な遊技機情報表示器の概略構成図である。
【図５】遊技機の個体監視方法を実現可能なホールコン中継基板とホールコンピュータの概略構成図である。
【図６】ホールコンピュータにて管理する台別遊技機の個体管理情報テーブルの構成説明図である。
【図７】ホールコンピュータの表示部における遊技機ＩＤ不一致表示・ＩＤ更新の画面イメージを示す説明図である。
【発明を実施するための形態】
【００１８】
次に、本発明に係る遊技機の個体監視方法の実施形態を添付図面に基づいて説明する。なお、本実施形態で監視対象とする遊技機は、遊技機の各個体に固有情報として、メーカー名（メーカーＩＤ）、機種名（機種ＩＤ），個体ＩＤ（市場に出荷されている全ての遊技機を識別可能なように割り振られたユニークな番号で、例えば、各遊技機の制御装置に搭載されたＣＰＵのチップナンバを用いることが出来る）を遊技機ＩＤとして出力可能なものに限られる。そこで、先ずは遊技機ＩＤを出力可能な遊技機について説明する。
【００１９】
図１は、遊技球を用いた弾球遊技を行うための種々の機能を備える遊技機１０の概略構成を示すもので、外部出力端子板１０ａを介して各種の信号が外部に出力される。なお、図示を省略したが、遊技機１０が備える遊技媒体貸出装置接続端子板が、遊技媒体貸出装置の貸出インターフェース基板とＰＩＦケーブルで接続され、遊技機１０から遊技媒体貸出装置へは、遊技機接続確認信号（ＰＳＩ），遊技機準備状態信号（ＰＲＤＹ），遊技機貸出完了信号（ＥＸＳ），貸出ボタンスイッチ信号等が送信されると共に、遊技媒体貸出装置２０から遊技機１０へは、貸出装置準備状態信号（ＢＲＤＹ），貸出装置貸出要求信号（ＢＲＱ）が送信され、相互に状態確認しつつ適正な遊技媒体貸出制御が実行される。
【００２０】
遊技機１０には、弾球遊技の主たる制御を行う主制御基板１１を備え、前面扉が開放された状態を検知する扉開放センサ１２、不正の有無を判定するために設けた不正検出センサ１３、遊技球が飛入する遊技盤上に設けた始動口への球入賞を検出する始動口センサ１４等から各種検出信号が主制御基板１１に入力されると共に、主制御基板１１から賞球或いは貸出球の排出指令を払出制御基板１５へ送信し、遊技球排出装置から所定の遊技球を払い出させるのである。なお、電源基板１６からは主制御基板１１の諸機能を稼働させるための電源が供給される。
【００２１】
主制御基板１１には、ＣＰＵチップ１１１、ＲＯＭ１１２、ＲＡＭ１１３が内部バスにより接続され、ＲＯＭのプログラム領域に書き込まれたプログラムをＣＰＵチップ１１１が実行して、遊技制御が実現される。遊技の進行結果や各種センサ入力情報（例えば、大当り信号、図柄停止信号、賞球信号、扉開放信号、不正検出信号など）は、個別Ｉ／Ｏポート１１４から外部出力端子板１０ａを介して外部へ出力される。
【００２２】
さらに、本構成の遊技機１０においては、ＲＯＭ１１２のデータ領域内にメーカーＩＤと機種ＩＤが、ＣＰＵチップ１１１のＣＰＵチップ個体ＩＤレジスタ１１１ａに個体ＩＤが、各々記憶されており、遊技機の個体情報である遊技機ＩＤ（メーカーＩＤ、機種ＩＤ、個体ＩＤ）も、外部出力端子板１０ａを介して外部に出力できるのである。なお、遊技機ＩＤは、シリアル通信バッファ１１５およびシリアルＩ／Ｏ１１６により、パルス信号として出力されるものとし、受信側では、受信したパルス信号列（シリアル信号）をパラレル信号に変換することで、元の遊技機固有情報にデコードできる。
【００２３】
すなわち、遊技機１０から出力された遊技機ＩＤ信号からメーカーＩＤ、機種ＩＤ、個体ＩＤを予め記憶しておけば、その後に遊技機１０から受信した遊技機ＩＤ信号によるメーカーＩＤ、機種ＩＤ、個体ＩＤとの一致・不一致を判定すれば、主制御基板１１自体が交換された場合はもとより、ＣＰＵチップ１１１又はＲＯＭ１１２が交換された場合をも的確に知ることができる。なお、近来の遊技機は、ＣＰＵチップ１１１，ＲＯＭ１１２，ＲＡＭ１１３，個別Ｉ／Ｏポート１１４，シリアル通信バッファ１１５，シリアルＩ／Ｏ１１６等を一体に集約したワンチップＭＰＵが用いられる傾向にあり、ワンチップＭＰＵから出力される遊技機ＩＤとして、メーカーＩＤ，機種ＩＤ，個体ＩＤの３つをセットで監視対象とすることが効率良いが、ＣＰＵチップ１１１、ＲＯＭ１１２が別体として組み付けられている場合には、ＣＰＵチップ１１１からの個体ＩＤのみを監視対象としても良い。また、本構成例の遊技機１０は、遊技媒体である遊技球の貸出機能を備えたＣＲタイプの遊技機であるが、例えば、遊技媒体としてコイン形状の遊技メダルを使うスロット式遊技機であっても、遊技機ＩＤ出力機能を備えていれば、個体管理が可能である。
【００２４】
図２は、本発明に係る遊技機の個体監視方法の実施形態を示すフローチャートである。遊技機１０の個体監視に際しては、先ず、上述した遊技機１０よりパルス信号の遊技機ＩＤを受信し（ステップＳ０１）、受信したパルス信号をシリアル／パラレル変換して有意な遊技機ＩＤ（例えば、公知既存の文字コードにより表現される情報）に変換する（ステップＳ０２）。これらステップＳ０１およびＳ０２は、「監視対象である遊技機から出力される遊技機ＩＤを取得する遊技機ＩＤ取得工程」に相当する。なお、遊技機１０からの遊技機ＩＤをＰ／Ｓ変換等でデコードする必要がない場合には、そのまま受信バッファ等に蓄積することで遊技機ＩＤ取得工程となる。
【００２５】
続いて、有意な情報に変換した遊技機ＩＤを一時記憶ＩＤとして一時記憶領域に記憶する（ステップＳ０３）。これが「遊技機ＩＤ取得工程にて取得した遊技機ＩＤを一時記憶ＩＤとして所定の一時記憶領域に記憶する一時記憶工程」である。なお、一時記憶領域は、電源断によって消える作業用の揮発性メモリで構わない。
【００２６】
続いて、比較基準ＩＤを比較基準ＩＤ記憶領域より取り出し、一時記憶領域に記憶した一時記憶ＩＤと比較基準ＩＤとを比較し、一時記憶ＩＤと比較基準ＩＤとが一致しているか不一致であるかを判定する。比較基準ＩＤとは、例えば、監視対象の遊技機１０を遊技場へ導入したときに受信した遊技機ＩＤを記憶しておくもので、正規に導入された遊技機１０の真正な個体情報として記憶しておくものである。すなわち、比較基準ＩＤ記憶領域は、電源断によっても記憶が保持される不揮発性のメモリや記憶装置を用いる必要がある。
【００２７】
上記ステップＳ０５にて、一時記憶ＩＤと比較基準ＩＤが一致していると判定された場合には、表示部へ通常表示を行う（ステップＳ０６）。しかしながら、一時記憶ＩＤと比較基準ＩＤが不一致であると判定された場合には、真正な遊技機１０の個体情報が変わっていることから、別の機種にすり替えられたり、不正なプログラムが書き込まれた不正ＲＯＭへの交換や主制御基板毎入れ替えるような不正改造が行われたり可能性があるので、表示部へ警告表示を行う（ステップＳ０７）。
【００２８】
上述したステップＳ０４〜Ｓ０７が、「一時記憶工程にて記憶した一時記憶ＩＤと、監視対象である遊技機を特定する情報として比較基準ＩＤ記憶領域に予め記憶している比較基準ＩＤとを比較し、両者が一致していれば通常報知を行う一方、両者が不一致であれば警告報知を行う監視工程」である。なお、本実施形態では、表示部へ可視表示することで、遊技機ＩＤの一致・不一致を報知するものとしたが、音声や警告音等の出力によって報知するようにしても構わないし、上位の管理装置等へ判定結果を送信することで上位システムに報知するようにしても構わない。
【００２９】
なお、遊技店の新装開店などで遊技機の入替を行った場合であっても、上記ステップＳ０５で一時記憶ＩＤと比較基準ＩＤが不一致と判定されることとなるため、このような場合には、比較基準ＩＤの更新処理（図２中、破線で示すステップＳ０８）を行うことで、比較基準とする遊技機ＩＤを更新し、以降の監視対象である遊技機の個体情報を簡単に変更できるようにすると、利便性が高い。
【００３０】
図３は、比較基準ＩＤの更新処理を示すもので、先ず、本実施形態に係る遊技機の個体管理方法を実行する装置等に対して、操作パネルやリモコン等で比較基準ＩＤの更新指示があったか否かを判定し（ステップＳ１１）、更新指示があった場合には、比較基準ＩＤ記憶領域に一時記憶ＩＤを新たな比較基準ＩＤとして書き込み（ステップＳ１２）、比較基準ＩＤ更新処理が完了した旨を表示部に表示する（ステップＳ１３）。斯くして、監視対象となる遊技機１０の個体情報が更新され、その後は、この新たな比較基準ＩＤを用いて監視対象遊技機の同一性を監視するのである。
【００３１】
なお、上記ステップＳ１１で比較基準ＩＤの更新指示がなかった場合には、リセット操作の有無を判定し（ステップＳ１４）、リセット操作があった場合には、警告表示をクリアして表示部に通常表示を行う（ステップＳ１５）。これは、意図的に異なる遊技機ＩＤを送信して遊技機の個体監視が適正に行われているかをテストする場合など、遊技機１０から受信した最新の遊技機ＩＤである一時記憶ＩＤを新たな比較基準ＩＤに更新する必要がないときには、警告表示を簡便にリセットできるので、利便性がよい。
【００３２】
次に、上述した遊技機の個体監視方法を遊技機情報表示器２０にて行う構成例を、図４に基づき説明する。遊技機情報表示器２０は、呼び出しランプ、または、台ランプと呼ばれる機器（遊技場に設置された各遊技機１０の上方部に各々対応して設けられ、遊技機１０の遊技状態を表示したり、遊技機１０の過去の遊技履歴情報を表示したりできるもの）、あるいは、台間情報端末、または、台間情報公開モニターと呼ばれる機器（遊技機１０の側方に各々対応付けられて隣接設置して、遊技機１０の情報を表示したり遊技店のサービスを受け付けられるようにしたもの）である。
【００３３】
遊技機情報表示器２０の外部入力端子板２０ａには、遊技機１０の外部出力端子板１０ａより、大当り信号、図柄停止信号、賞球信号、扉開放信号、不正検出信号などが入力され、また、遊技機１０が設置されている島設備の補給機構から出力される補給信号やアウト玉信号が入力されており、これらの信号は、外部入力信号処理手段２１ａにて受信処理されると共に、外部出力用パルス発生手段２１ｂから外部出力端子板２０ｂを介して各信号がホールコン中継基板３０に出力され、このホールコン中継基板３０を経由してホールコンピュータ４０へ送信される。
【００３４】
また、遊技機１０の外部出力端子板１０ａから出力された遊技機ＩＤ（パルス信号）は、遊技機情報表示器２０のＩＤ入力端子２２ａを介して入力された後、シリアル／パラレル変換手段２２ｂによって文字コードに変換し、遊技機ＩＤ一時記憶領域２３に記憶する。すなわち、遊技機情報表示器２０におけるＩＤ入力端子２２ａとシリアル／パラレル変換手段２２ｂによって遊技機ＩＤ取得工程を行い、遊技機ＩＤ一時記憶領域２３によって一時記憶工程を行うのである。
【００３５】
そして、遊技機ＩＤ一時記憶領域２３に記憶した一時記憶ＩＤと、監視対象である遊技機を特定する情報として比較基準ＩＤ記憶領域２４ａに予め記憶している比較基準ＩＤとをＩＤ比較手段２４ｂによって比較し、その比較結果として両者が一致していれば表示部２４ｃに通常表示を行う一方、両者が不一致であれば表示部２４ｃに警告表示を行う。すなわち、遊技機情報表示器２０における比較基準ＩＤ記憶領域２４ａとＩＤ比較手段２４ｂと表示部２４ｃによって監視工程を行うのである。
【００３６】
表示部２４ｃに警告表示が行われているとき、外部操作入力手段２５ａを介して比較基準ＩＤの更新指示が入力されると、比較基準ＩＤ更新制御手段２５ｂによって、遊技機ＩＤ一時記憶領域２３に記憶されている一時記憶ＩＤが比較基準ＩＤ記憶領域２４ａに書き込まれ、以降は、新たな比較基準ＩＤがＩＤ比較手段２４ｂによる判定に供される。比較基準ＩＤ記憶領域２４ａは、最新の比較基準ＩＤのみを記憶するものに限らず、例えば、リングメモリ構成とすることで、過去の比較基準ＩＤを所定数まで保持しておけるようにしても良い。
【００３７】
なお、遊技機情報表示器２０に外部通信手段２６を設けて、監視結果等を外部の上位管理装置等へ出力するようにしても良い。また、遊技機１０に確認入力端子１０ｂを設け、遊技機１０から遊技機ＩＤを受信した遊技機情報表示器２０が、ＩＤ受信確認信号を外部出力端子板２１ｂより出力するものとすれば、遊技機１０が出力した遊技機ＩＤが遊技機情報表示器２０に受信されたことを遊技機１０で確認できる。
【００３８】
次に、上述した遊技機の個体監視方法をホールコン中継基板３０とホールコンピュータ４０が協働することで行う構成例を、図５に基づき説明する。ホールコン中継基板３０は、遊技場に設置された各遊技機１０に対応して設けられる情報中継器であり、このホールコン中継基板３０にて中継することで、遊技機１０からの諸情報が、遊技場内の諸設備を統括的に管理する遊技場管理装置たるホールコンピュータ４０へ送信されるのである。
【００３９】
先ず、遊技機１０の外部出力端子板１０ａより出力された遊技機ＩＤ出力（パルス信号）は、ホールコン中継基板３０のシリアル／パラレル変換手段３１によって文字コードに変換し、受信遊技機ＩＤ一時記憶領域３２に記憶し、これを送信用データ作成手段３３により加工し、対ホールコン通信手段３４によってホールコンピュータ４０へ送信する。なお、遊技場内の各ホールコン中継基板３０…とホールコンピュータ４０は、高速なデータ伝送が可能なＬＡＮ回線５０で接続してあり、遊技機１０からホールコン中継基板３０へ遊技機ＩＤを送信するのに比べて、遥かに高速な遊技機ＩＤの送信が可能である。
【００４０】
上記のようにして、ホールコン中継基板３０より遊技機ＩＤが送信されると、ホールコンピュータ４０は、外部通信手段４１にて受信し、これを遊技機ＩＤ一時記憶領域４２に記憶する。すなわち、ホールコン中継基板３０とホールコンピュータ４０の外部通信手段４１によって遊技機ＩＤ取得工程を行い、遊技機ＩＤ一時記憶領域４２によって一時記憶工程を行うのである。なお、遊技機ＩＤ一時記憶領域４２は、遊技場内の全ての遊技機に対応させて設けてあり、台別の個体監視をホールコンピュータ４０で集中的に行うことができる。
【００４１】
そして、遊技機ＩＤ一時記憶領域４２に記憶した一時記憶ＩＤと、監視対象である遊技機を特定する情報として比較基準ＩＤ記憶領域４３ａに予め記憶している比較基準ＩＤとをＩＤ比較手段４３ｂによって比較し、その比較結果として両者が一致していれば表示部４３ｃに通常表示を行う一方、両者が不一致であれば表示部４３ｃに警告表示を行う。すなわち、ホールコンピュータ４０における比較基準ＩＤ記憶領域４３ａとＩＤ比較手段４３ｂと表示部４３ｃによって監視工程を行うのである。
【００４２】
図６は、ホールコンピュータ４０にて管理する台別遊技機個体管理情報テーブルの一例を示すもので、前回取得した個体ＩＤを比較基準ＩＤとし、今回取得した個体ＩＤを一時記憶ＩＤとして状態判定を行い、両ＩＤが不一致の台に対する状態項目を“異常”とする。図７は、ホールコンピュータ４０の表示部４３ｃであるモニタの表示例として、遊技機ＩＤ不一致表示・ＩＤ更新の画面イメージを示したもので、台別遊技機個体管理情報テーブルの状態項目が異常である遊技機のみを抽出して表示し、今回ＩＤと不一致である旨を警告色で目立たせる。
【００４３】
上記のように、表示部４３ｃに警告表示が行われているとき、外部操作入力手段４４ａを介して特定の台（或いは特定範囲の複数台）に対する比較基準ＩＤの更新指示が入力されると、比較基準ＩＤ更新制御手段４４ｂによって、遊技機ＩＤ一時記憶領域４２に台別に記憶されている一時記憶ＩＤが、該当する台の比較基準ＩＤ記憶領域４３ａに書き込まれ、以降は、新たな比較基準ＩＤがＩＤ比較手段４３ｂによる判定に供される。このＩＤ更新操作は、図７の画面イメージに示すように、島単位に指定したり、台別に指定したり、全台一斉に指示したりでき、ＩＤ更新後の台別情報を表示することで、意図通りに更新されたか否かを確認できる。
【００４４】
なお、ホールコンピュータ４０には、比較基準ＩＤ履歴記憶領域４５を設けてあり、過去の比較基準ＩＤを台別に記憶保持しておくことができる。このように、過去の比較基準ＩＤ履歴を保存しておけば、更新してはいけない一時記憶ＩＤを比較基準ＩＤにしてしまったような場合に、元の比較基準ＩＤへ復元させることも可能となる。
【００４５】
また、ホールコンピュータ４０には、遊技機状態情報記憶領域４６を設けてあり、遊技機１０から遊技機情報表示器２０を経由してホールコン中継基板３０に入力される遊技機状態信号（大当り信号、図柄停止信号、賞球信号、扉開放信号、不正検出信号など）を、ホールコン中継基板３０の遊技機状態信号入力手段３５が受けて、ホールコン中継基板３０よりホールコンピュータ４０へ送信されると、この遊技機状態情報を台別に遊技機状態情報記憶領域４６に記憶して行き、図６に示したような台別遊技機個体管理情報テーブルを生成する。
【００４６】
以上、本発明に係る遊技機の個体監視方法の実施形態と、これを具現化できる構成例を添付図面に基づいて説明したが、本発明の包摂範囲は、これらの実施形態等に限定されるものではなく、公知既存の手法を適宜転用することで実現しても構わない。
【符号の説明】
【００４７】
１０    遊技機
１０ａ  外部出力端子板
１１１  ＣＰＵチップ（個体ＩＤ）
１１２  ＲＯＭ（メーカーＩＤ、機種ＩＤ）
２０    遊技機情報表示器
２２ａ  ＩＤ入力端子
２２ｂ  シリアル／パラレル変換手段
２３    遊技機ＩＤ一時記憶領域
２４ａ  比較基準ＩＤ記憶領域
２４ｂ  ＩＤ比較手段
２４ｃ  表示部
３０    ホールコン中継基板
４０    ホールコンピュータ
４１    外部通信手段
４２    遊技機ＩＤ一時記憶領域
４３ａ  比較基準ＩＤ記憶領域
４３ｂ  ＩＤ比較手段
４３ｃ  表示部
【図１】
2010213770.tif 000003
【図２】
2010213770.tif 000004
【図３】
2010213770.tif 000005
【図４】
2010213770.tif 000006
【図５】
2010213770.tif 000007
【図６】
2010213770.tif 000008
【図７】
2010213770.tif 000009